(57)【要約】      （修正有）【課題】波長測定精度を向上したＭＥＭＳ光スペクトラムアナライザを提供する。【解決手段】回折格子１と、ＭＥＭＳスキャナ６０と、受光素子２と、既知波長の第１の基準光を出射する波長基準光源３と、第１の基準光の波長と異なる既知波長の第２の基準光を出射する波長基準光源４と、被測定光、第１及び第２の基準光を受けて合波して回折格子１に出射する光合波手段５と、上記電気信号をディジタル値に変換するＡ／Ｄ変換器６と、このディジタル値を受けて順次所定のアドレスに記憶するメモリ７と、メモリ７の上記所定のアドレスに記憶されているディジタル値を読み出して、第１及び第２の基準光がそれぞれ記憶されている第１及び第２のアドレスを検出し、検出したこの第１及び第２のアドレス並びに第１及び第２の基準光のそれぞれの既知波長から所定の関数を導き、この関数を用いて被測定光が記憶されているアドレスを波長に変換する処理手段８とを備えた。【選択図】図１
2006145270.tif 000002
【特許請求の範囲】
【請求項１】
入射光を受けて波長に応じた角度で回折させる回折格子（１）と、
反射体（３５）と反射体駆動手段（５０）とを含んで構成され、前記回折格子から入射される前記入射光に対する回折光が、前記反射体の反射面で該回折格子へ反射されて、再び該回折格子で所定の方向に回折されるとき、前記所定の方向に回折された回折光が所望の波長の光となるようにするとともに、該所定の方向に回折された回折光の所望の波長が第１の所定波長範囲を含んで掃引されるように前記反射体の反射面の角度を前記反射体駆動手段により連続的に繰り返して変化させるＭＥＭＳスキャナ（６０）と、
前記所定の方向に配置され、前記回折格子から出射された前記回折光を受けて電気信号に変換する受光素子（２）とを備えたＭＥＭＳ光スペクトラムアナライザにおいて、
前記第１の所定波長範囲内の既知波長の第１の基準光を出射する第１の波長基準光源（３）と、
前記第１の所定波長範囲内でかつ前記第１の基準光の波長とは異なる既知波長の第２の基準光を出射する第２の波長基準光源（４）と、
被測定光、前記第１の基準光及び前記第２の基準光を受けて合波し、その合波光を前記入射光として前記回折格子に出射する光合波手段（５）と、
前記受光素子から前記電気信号を受けてディジタル値に変換するＡ／Ｄ変換器（６）と、
該Ａ／Ｄ変換器から出力されるディジタル値を受けて、少なくとも前記第１の所定波長範囲に含まれるディジタル値を順次所定のアドレスに記憶するメモリ（７）と、
該メモリの前記所定のアドレスに記憶されているディジタル値を読み出して、前記第１の基準光及び前記第２の基準光がそれぞれ記憶されている第１のアドレス及び第２のアドレスを検出し、検出した該第１のアドレス及び該第２のアドレス並びに前記第１の基準光及び前記第２の基準光のそれぞれの既知波長から所定の関数を導き、導いた該所定の関数を用いて前記被測定光に係わるディジタル値が記憶されているアドレスを波長に変換する処理手段（８）とを備え、前記被測定光に係わるディジタル値から求められる当該被測定光のスペクトラムの波長校正を行うことを特徴とするＭＥＭＳ光スペクトラムアナライザ。
【請求項２】
前記処理手段における前記所定の関数が一次関数であることを特徴とする請求項1に記載のＭＥＭＳ光スペクトラムアナライザ。
【請求項３】
前記処理手段は、
前記メモリの前記所定のアドレスに記憶されているディジタル値を読み出して、前記第１の基準光及び前記第２の基準光がそれぞれ記憶されている前記第１のアドレス及び前記第２のアドレスを検出する基準光アドレス検出手段（８ａ）と、
前記第１のアドレスと前記第２のアドレスとのアドレス差を算出する基準光アドレス差算出手段（８ｂ）と、
前記メモリの前記所定のアドレスに記憶されているディジタル値の内から前記被測定光に係わるディジタル値を読み出すとともに、前記第１のアドレス及び前記第２のアドレスに対する、前記被測定光に係わるディジタル値の相対的アドレスと、前記アドレス差並びに前記第１の基準光及び前記第２の基準光のそれぞれの既知波長に基づいて、読み出した前記被測定光に係わるディジタル値が記憶されているアドレスを波長に変換するアドレス−波長変換手段（８ｃ）とを含むことを特徴とする請求項1又は２に記載のＭＥＭＳ光スペクトラムアナライザ。
【請求項４】
前記第１の基準光の波長が、前記第１の所定波長範囲内に含まれる第２の所定波長範囲の下限の波長と該第１の所定波長範囲の下限の波長との間にあって、かつ、
前記第２の基準光の波長が、前記第２の所定波長範囲の上限の波長と前記第１の所定波長範囲の上限の波長との間にあって、かつ、
前記第２の所定波長範囲が、前記被測定光のスペクトラムの測定波長範囲であることを特徴とする請求項1〜３のいずれかに記載のＭＥＭＳ光スペクトラムアナライザ。
【請求項５】
前記ＭＥＭＳスキャナの反射体は、
固定基板（３６、３７）と、
該固定基板の縁部から所定幅で所定長さ延設され、その長さ方向に沿って捩じれ変形可能な軸部（３８、３９）と、
該軸部の先端に自身の縁部で連結さて前記固定基板に対して回転自在に支持され、一面側に前記回折格子からの回折光を反射させるための前記反射面が設けられた反射板（４０）とを有しており、かつ、
前記ＭＥＭＳスキャナの反射体駆動手段は、
前記反射体の軸部と反射板とからなる部分の固有振動数に対応した周波数の駆動信号によって前記反射板に力を与えて、該反射板を前記固有振動数又はそれに近い振動数で往復回転させるように構成されていることを特徴とする請求項1〜４のいずれかに記載のＭＥＭＳ光スペクトラムアナライザ。
【請求項６】
入射光を受けて波長に応じた角度で回折させる回折格子（１）と、反射体（３５）と反射体駆動手段（５０）とを含んで構成され、前記回折格子から入射される前記入射光に対する回折光が、前記反射体の反射面で該回折格子へ反射されて、再び該回折格子で所定の方向に回折されるとき、前記所定の方向に回折された回折光が所望の波長の光となるようにするとともに、該所定の方向に回折された回折光の所望の波長が第１の所定波長範囲を含んで掃引されるように前記反射体の反射面の角度を前記反射体駆動手段により連続的に繰り返して変化させるＭＥＭＳスキャナ（６０）と、前記所定の方向に配置され、前記回折格子から出射された前記回折光を受けて電気信号に変換する受光素子（２）とを有するＭＥＭＳ光スペクトラムアナライザの波長校正方法であって、
前記第１の所定波長範囲内の既知波長の第１の基準光、前記第１の所定波長範囲内でかつ前記第１の基準光の波長とは異なる既知波長の第２の基準光及び被測定光を受けて合波し、その合波光を前記入射光として前記回折格子に入射し、該回折格子からの回折光を前記受光素子で受けて電気信号に変換する段階と、
前記受光素子からの前記電気信号を受けてディジタル値に変換する段階と、
前記ディジタル値を受けて、少なくとも前記第１の所定波長範囲に含まれるディジタル値をメモリの所定のアドレスに順次記憶する段階と、
メモリの前記所定のアドレスに記憶されているディジタル値を読み出して、前記第１の基準光及び前記第２の基準光がそれぞれ記憶されている第１のアドレス及び第２のアドレスを検出する段階と、
検出した前記第１のアドレス及び前記第２のアドレス並びに前記第１の基準光及び前記第２の基準光のそれぞれの既知波長から所定の関数を導く段階と、
導いた前記所定の関数を用いて前記被測定光に係わるディジタル値が記憶されているアドレスを波長に変換する段階とを含み、前記被測定光に係わるディジタル値から求められる当該被測定光のスペクトラムの波長校正を行うことを特徴とするＭＥＭＳ光スペクトラムアナライザの波長校正方法。
【請求項７】
前記所定の関数を導く段階における前記所定の関数が一次関数であることを特徴とする請求項６に記載のＭＥＭＳ光スペクトラムアナライザの波長校正方法。
【請求項８】
前記第１の基準光の波長が、前記第１の所定波長範囲内に含まれる第２の所定波長範囲の下限の波長と該第１の所定波長範囲の下限の波長との間にあって、かつ、
前記第２の基準光の波長が、前記第２の所定波長範囲の上限の波長と前記第１の所定波長範囲の上限の波長との間にあって、かつ、
前記第２の所定波長範囲が、前記被測定光のスペクトラムの測定波長範囲であることを特徴とする請求項６又は７に記載のＭＥＭＳ光スペクトラムアナライザの波長校正方法。
【請求項９】
前記ＭＥＭＳスキャナの反射体は、
固定基板（３６、３７）と、
該固定基板の縁部から所定幅で所定長さ延設され、その長さ方向に沿って捩じれ変形可能な軸部（３８、３９）と、
該軸部の先端に自身の縁部で連結されて前記固定基板に対して回転自在に支持され、一面側に前記回折格子からの回折光を反射させるための前記反射面が設けられた反射板（４０）とを有しており、かつ、
前記ＭＥＭＳスキャナの反射体駆動手段は、
前記反射体の軸部と反射板とからなる部分の固有振動数に対応した周波数の駆動信号によって前記反射板に力を与えて、該反射板を前記固有振動数又はそれに近い振動数で往復回転させるように構成されていることを特徴とする請求項６〜８のいずれかに記載のＭＥＭＳ光スペクトラムアナライザの波長校正方法。
【発明の詳細な説明】
【技術分野】
【０００１】
本発明は、ＭＥＭＳスキャナを応用して高速に光スペクトラムの測定ができるＭＥＭＳ光スペクトラムアナライザに関し、特に波長測定精度を向上したＭＥＭＳ光スペクトラムアナライザ及びその波長校正方法に関する。なお、ＭＥＭＳ（Micro Electro Mechanical Systems）スキャナは、マイクロ電気機械式構造体（電気信号の制御を受けて機械的に動作する構造体）によって形成されたスキャナである。
【背景技術】
【０００２】
光スペクトラムの測定に、従来から回折格子と可動鏡を組み合わせたリットマン型の分光方式を採用した光スペクトラムアナライザが用いられており、近年、本出願人は、そのリットマン型の分光方式の可動鏡をＭＥＭＳスキャナで構成することによって掃引速度を飛躍的に向上させたＭＥＭＳ光スペクトラムアナライザを提案した。（特許文献1参照）
【０００３】
この従来のＭＥＭＳ光スペクトラムアナライザの概略構成を図６に示す。回折格子１は入射光Ｓを回折して、入射光Ｓに含まれる各波長成分をその波長に対応した角度で出射する。この入射光Ｓに対して回折格子１から出射された回折光Ｇ1は反射体３５の反射面で反射されて回折格子１に入射され、再び回折される。そして、その反射された回折光Ｒ（すなわち反射光Ｒ）に対して回折格子１から出射された回折光Ｇ2は受光素子２に入射されて電気信号に変換される。反射体駆動手段５０は、反射体３５の反射面の角度を変化させて、受光素子１が受光する回折光Ｇ2の波長を可変している。そして、反射体駆動手段５０によって反射体３５を往復回転させることで、受光素子２が受光する回折光Ｇ2の波長を掃引し、入射光Ｓに含まれる各波長の光の強度を検出する。受光素子２から出力される各波長の電気信号は、信号処理部（図示しない）において、波長毎（反射体３５の反射面の角度に対応）にサンプリングされ、各波長の光の強度を示すスペクトラムデータとしてメモリに記憶され、そのスペクトラムの波形が表示装置等に表示される。なお、反射体３５及び反射体駆動手段５０はＭＥＭＳ技術で形成され、ＭＥＭＳスキャナ６０を構成している。
【０００４】
【特許文献１】特開２００４−１５７０８２号公報
【発明の開示】
【発明が解決しようとする課題】
【０００５】
このような従来のＭＥＭＳ光スペクトラムアナライザにおいては、図２（ａ）に示すように、ＭＥＭＳスキャナ６０の掃引中（共振中）の往復回転角度はほぼ正弦波的に変化しており、したがって掃引される波長も正弦波状に変化する。スペクトラムの波長測定精度は、ＭＥＭＳスキャナ６０の往復回転角度の上記正弦波状に変化する波形の振幅及び位相の、環境条件（温度、空気の粘性等）に対する安定性（換言すれば、反射体３５の反射面の角度を変化させるための駆動信号の振幅、位相、ＭＥＭＳスキャナ６０自身の機械的寸法等の安定性）に依存し、例えＭＥＭＳスキャナ６０自身を温度制御して安定化したとしても、その波長測定精度は約０．４ｎｍであった。このために、０．１〜０．２ｎｍの波長測定精度が要求される波長分割多重化（ＷＤＭ）回線用の波形モニターとして利用できないという問題があった。
【０００６】
本発明は、２つの波長基準光を用いて波長校正を行うことによって、この課題を解決し、波長測定精度を向上したＭＥＭＳ光スペクトラムアナライザ及びその波長校正方法を提供することを目的としている。
【課題を解決するための手段】
【０００７】
上記課題を解決するために、本発明の請求項１のＭＥＭＳ光スペクトラムアナライザでは、入射光を受けて波長に応じた角度で回折させる回折格子（１）と、反射体（３５）と反射体駆動手段（５０）とを含んで構成され、前記回折格子から入射される前記入射光に対する回折光が、前記反射体の反射面で該回折格子へ反射されて、再び該回折格子で所定の方向に回折されるとき、前記所定の方向に回折された回折光が所望の波長の光となるようにするとともに、該所定の方向に回折された回折光の所望の波長が第１の所定波長範囲を含んで掃引されるように前記反射体の反射面の角度を前記反射体駆動手段により連続的に繰り返して変化させるＭＥＭＳスキャナ（６０）と、前記所定の方向に配置され、前記回折格子から出射された前記回折光を受けて電気信号に変換する受光素子（２）とを備えたＭＥＭＳ光スペクトラムアナライザにおいて、前記第１の所定波長範囲内の既知波長の第１の基準光を出射する第１の波長基準光源（３）と、前記第１の所定波長範囲内でかつ前記第１の基準光の波長とは異なる既知波長の第２の基準光を出射する第２の波長基準光源（４）と、被測定光、前記第１の基準光及び前記第２の基準光を受けて合波し、その合波光を前記入射光として前記回折格子に出射する光合波手段（５）と、前記受光素子から前記電気信号を受けてディジタル値に変換するＡ／Ｄ変換器（６）と、該Ａ／Ｄ変換器から出力されるディジタル値を受けて、少なくとも前記第１の所定波長範囲に含まれるディジタル値を順次所定のアドレスに記憶するメモリ（７）と、該メモリの前記所定のアドレスに記憶されているディジタル値を読み出して、前記第１の基準光及び前記第２の基準光がそれぞれ記憶されている第１のアドレス及び第２のアドレスを検出し、検出した該第１のアドレス及び該第２のアドレス並びに前記第１の基準光及び前記第２の基準光のそれぞれの既知波長から所定の関数を導き、導いた該所定の関数を用いて前記被測定光に係わるディジタル値が記憶されているアドレスを波長に変換する処理手段（８）とを備え、前記被測定光に係わるディジタル値から求められる当該被測定光のスペクトラムの波長校正を行うようにした。
【０００８】
また、本発明の請求項２のＭＥＭＳ光スペクトラムアナライザでは、上述した請求項1のＭＥＭＳ光スペクトラムアナライザにおいて、前記処理手段における前記所定の関数が一次関数であるようにした。
【０００９】
また、本発明の請求項３のＭＥＭＳ光スペクトラムアナライザでは、上述した請求項1又は２のＭＥＭＳ光スペクトラムアナライザにおいて、前記処理手段は、前記メモリの前記所定のアドレスに記憶されているディジタル値を読み出して、前記第１の基準光及び前記第２の基準光がそれぞれ記憶されている前記第１のアドレス及び前記第２のアドレスを検出する基準光アドレス検出手段（８ａ）と、前記第１のアドレスと前記第２のアドレスとのアドレス差を算出する基準光アドレス差算出手段（８ｂ）と、前記メモリの前記所定のアドレスに記憶されているディジタル値の内から前記被測定光に係わるディジタル値を読み出すとともに、前記第１のアドレス及び前記第２のアドレスに対する、前記被測定光に係わるディジタル値の相対的アドレスと、前記アドレス差並びに前記第１の基準光及び前記第２の基準光のそれぞれの既知波長に基づいて、読み出した前記被測定光に係わるディジタル値が記憶されているアドレスを波長に変換するアドレス−波長変換手段（８ｃ）とを含むようにした。
【００１０】
また、本発明の請求項４のＭＥＭＳ光スペクトラムアナライザでは、上述した請求項1〜３のいずれかのＭＥＭＳ光スペクトラムアナライザにおいて、前記第１の基準光の波長が、前記第１の所定波長範囲内に含まれる第２の所定波長範囲の下限の波長と該第１の所定波長範囲の下限の波長との間にあって、かつ、前記第２の基準光の波長が、前記第２の所定波長範囲の上限の波長と前記第１の所定波長範囲の上限の波長との間にあって、かつ、前記第２の所定波長範囲が、前記被測定光のスペクトラムの測定波長範囲であるようにした。
【００１１】
また、本発明の請求項５のＭＥＭＳ光スペクトラムアナライザでは、上述した請求項１〜４のいずれかのＭＥＭＳ光スペクトラムアナライザにおいて、前記ＭＥＭＳスキャナの反射体は、固定基板（３６、３７）と、該固定基板の縁部から所定幅で所定長さ延設され、その長さ方向に沿って捩じれ変形可能な軸部（３８、３９）と、該軸部の先端に自身の縁部で連結されて前記固定基板に対して回転自在に支持され、一面側に前記回折格子からの回折光を反射させるための前記反射面が設けられた反射板（４０）とを有しており、かつ、前記ＭＥＭＳスキャナの反射体駆動手段は、前記反射体の軸部と反射板とからなる部分の固有振動数に対応した周波数の駆動信号によって前記反射板に力を与えて、該反射板を前記固有振動数又はそれに近い振動数で往復回転させるように構成した。
【００１２】
また、本発明の請求項６のＭＥＭＳ光スペクトラムアナライザの波長校正方法では、入射光を受けて波長に応じた角度で回折させる回折格子（１）と、反射体（３５）と反射体駆動手段（５０）とを含んで構成され、前記回折格子から入射される前記入射光に対する回折光が、前記反射体の反射面で該回折格子へ反射されて、再び該回折格子で所定の方向に回折されるとき、前記所定の方向に回折された回折光が所望の波長の光となるようにするとともに、該所定の方向に回折された回折光の所望の波長が第１の所定波長範囲を含んで掃引されるように前記反射体の反射面の角度を前記反射体駆動手段により連続的に繰り返して変化させるＭＥＭＳスキャナ（６０）と、前記所定の方向に配置され、前記回折格子から出射された前記回折光を受けて電気信号に変換する受光素子（２）とを有するＭＥＭＳ光スペクトラムアナライザの波長校正方法であって、前記第１の所定波長範囲内の既知波長の第１の基準光、前記第１の所定波長範囲内でかつ前記第１の基準光の波長とは異なる既知波長の第２の基準光及び被測定光を受けて合波し、その合波光を前記入射光として前記回折格子に入射し、該回折格子からの回折光を前記受光素子で受けて電気信号に変換する段階と、前記受光素子からの前記電気信号を受けてディジタル値に変換する段階と、前記ディジタル値を受けて、少なくとも前記第１の所定波長範囲に含まれるディジタル値をメモリの所定のアドレスに順次記憶する段階と、メモリの前記所定のアドレスに記憶されているディジタル値を読み出して、前記第１の基準光及び前記第２の基準光がそれぞれ記憶されている第１のアドレス及び第２のアドレスを検出する段階と、検出した前記第１のアドレス及び前記第２のアドレス並びに前記第１の基準光及び前記第２の基準光のそれぞれの既知波長から所定の関数を導く段階と、導いた前記所定の関数を用いて前記被測定光に係わるディジタル値が記憶されているアドレスを波長に変換する段階とを含み、前記被測定光に係わるディジタル値から求められる当該被測定光のスペクトラムの波長校正を行うようにした。
【００１３】
また、本発明の請求項７のＭＥＭＳ光スペクトラムアナライザの波長校正方法では、上述した請求項６のＭＥＭＳ光スペクトラムアナライザの波長校正方法において、前記アドレスを波長に変換する段階における前記所定の関数が一次関数であるようにした。
【００１４】
また、本発明の請求項８のＭＥＭＳ光スペクトラムアナライザの波長校正方法では、上述した請求項６又は７のＭＥＭＳ光スペクトラムアナライザの波長校正方法において、前記第１の基準光の波長が、前記第１の所定波長範囲内に含まれる第２の所定波長範囲の下限の波長と該第１の所定波長範囲の下限の波長との間にあって、かつ、前記第２の基準光の波長が、前記第２の所定波長範囲の上限の波長と前記第１の所定波長範囲の上限の波長との間にあって、かつ、前記第２の所定波長範囲が、前記被測定光のスペクトラムの測定波長範囲であるようにした。
【００１５】
また、本発明の請求項９のＭＥＭＳ光スペクトラムアナライザの波長校正方法では、上述した請求項６〜８のいずれかのＭＥＭＳ光スペクトラムアナライザの波長校正方法において、前記ＭＥＭＳスキャナの反射体は、固定基板（３６、３７）と、該固定基板の縁部から所定幅で所定長さ延設され、その長さ方向に沿って捩じれ変形可能な軸部（３８、３９）と、該軸部の先端に自身の縁部で連結されて前記固定基板に対して回転自在に支持され、一面側に前記回折格子からの回折光を反射させるための前記反射面が設けられた反射板（４０）とを有しており、かつ、前記ＭＥＭＳスキャナの反射体駆動手段は、前記反射体の軸部と反射板とからなる部分の固有振動数に対応した周波数の駆動信号によって前記反射板に力を与えて、該反射板を前記固有振動数又はそれに近い振動数で往復回転させるように構成した。
【発明の効果】
【００１６】
本発明の請求項1〜３のＭＥＭＳ光スペクトラムアナライザ並びに請求項６及び７のＭＥＭＳ光スペクトラムアナライザの波長校正方法では、波長基準となる２つの基準光のそれぞれのスペクトラムが記憶されているメモリのアドレスを検出し、検出したそれぞれのアドレスと基準光のそれぞれの波長とから所定の関数を導き、この導いた所定の関数を用いて被測定光のスペクトラムが記憶されているメモリのアドレスを波長に変換して波長校正を行うようにしたので、ＭＥＭＳスキャナの往復回転角度の正弦波状に変化する波形の位相変化によって、図３（ａ）の一点鎖線に示すように、掃引時間に対する波長が全体に図中の横方向にシフトし、あるいは上記波形の振幅変化によって、図３（ｂ）の一点鎖線に示すように、掃引時間に対する波長が全体に図中の縦方向に変化して、メモリの所定のアドレスに記憶される被測定光のスペクトラムの波長、すなわち所定のアドレスに対応する波長の関係が変化したとしても、波長測定精度を２つの基準光の波長確度と同等にすることができ、０．１〜０．２ｎｍの波長測定精度が要求される波長分割多重化（ＷＤＭ）回線用の波形モニターとして利用できる。なお、１つの基準光を用いて波長校正を行う場合には、上述の位相変化によって掃引時間に対する波長が全体にシフトしたのか、あるいは上述の振幅変化によって掃引時間に対する波長が全体に変化したのかを区別できない。
【００１７】
本発明の請求項４のＭＥＭＳ光スペクトラムアナライザ及び請求項８のＭＥＭＳ光スペクトラムアナライザの波長校正方法では、第１の基準光の波長が第１の所定波長範囲内に含まれる第２の所定波長範囲の下限の波長と第１の所定波長範囲の下限の波長との間にあるようにし、かつ、第２の基準光の波長が第２の所定波長範囲の上限の波長と第１の所定波長範囲の上限の波長との間にあって、かつ、第２の所定波長範囲が被測定光のスペクトラムの測定波長範囲であるようにしたので、測定中でも被測定光に影響を及ぼすことなく常時波長校正ができ、安定した波長測定精度が確保できる。
【００１８】
本発明の請求項５のＭＥＭＳ光スペクトラムアナライザ及び請求項９のＭＥＭＳ光スペクトラムアナライザの波長校正方法では、回折格子からの回折光を反射させるためのＭＥＭＳスキャナの反射体を、固定基板と、その縁部から所定幅で所定長さ延設され、その長さ方向に沿って捩じれ変形可能な軸部と、軸部の先端に自身の縁部で連結されて固定基板に対して回転自在に支持され、一面側に反射面が設けられた反射板とによって構成して、反射体の軸部と反射板とからなる部分の固有振動数に対応した周波数の駆動信号によって反射板に力を与え、反射板を固有振動数又はそれに近い振動数で往復回転させるようにしている。このため、反射板を高速に往復回転させることができ、しかも、その回転中心が反射板内にあるため、その角度変化に対して反射板の反射面へ入射される回折光の反射角の変化量を大きくすることができる。それにより、ＭＥＭＳ光スペクトラムアナライザの波長測定精度を向上できるとともに、掃引速度の高速化、測定波長範囲の広帯域化ができる。
【発明を実施するための最良の形態】
【００１９】
本発明の実施形態のＭＥＭＳ光スペクトラムアナライザの構成を図１に示す。従来のＭＥＭＳ光スペクトラムアナライザと同一要素には同一符号を付す。波長基準光源３は、例えば温度安定化を施したＤＦＢレーザであり、波長λ1（例えば１．５２８μｍ）の第１の基準光を光カプラ５ａに出射する。波長基準光源４もまた同様に、波長λ2（例えば１．５７０μｍ）の第２の基準光を光カプラ５ａに出射する。光カプラ５ａは、上記第１及び第２の基準光を受けて合波し光カプラ５ｂに出射する。光カプラ５ｂは、光カプラ５ａからの合波光と被測定光とを合波し、その合波光を回折格子１に入射光Ｓとして出射する。なお、光カプラ５ａ及び光カプラ５ｂは光合波手段５を構成している。
【００２０】
回折格子１は光合波手段５（光カプラ５ｂ）からの入射光Ｓを回折して、入射光Ｓに含まれる各波長成分をその波長に対応した角度で出射する。この入射光Ｓに対して回折格子１から出射された回折光Ｇ1は反射体３５の反射面で反射されて回折格子１に入射され、再び回折される。そして、その反射された回折光Ｒ（すなわち反射光Ｒ）に対して回折格子１から出射された回折光Ｇ2は受光素子２に入射されて電気信号に変換される。反射体駆動手段５０は、反射体３５の反射面の角度を変化させて、受光素子２が受光する回折光Ｇ2の波長を可変している。そして、反射体駆動手段５０によって反射体３５を往復回転させることで、受光素子２が受光する回折光Ｇ2の波長を掃引し、入射光Ｓに含まれる各波長の光の強度を検出する。なお、反射体３５及び反射体駆動手段５０（後で詳述する）は、ＭＥＭＳ技術で形成され、ＭＥＭＳスキャナ６０を構成している。
【００２１】
ここで、ＭＥＭＳスキャナ６０による波長掃引について説明する。駆動信号Ｄａ、Ｄｂ（後述する）を印加してＭＥＭＳスキャナ６０を掃引する（上述の反射体３５を往復回転させる）と、図２（ａ）に示すように、ＭＥＭＳスキャナ６０の往復回転角度はほぼ正弦波的に変化し、その結果、掃引される波長も正弦波状に変化する。したがって、被測定光のスペクトラムの測定波長範囲（第２の所定波長範囲）と、この測定波長範囲を含みかつこの測定波長範囲より広い、基準光の波長の設定できる基準波長設定範囲（第１の所定波長範囲）とを考慮したとき、これらの測定波長範囲及び基準波長設定範囲が、図２（ｂ）に示すように、その正弦波状に変化する波形の直線に近い部分に来るように、ＭＥＭＳスキャナ６０の掃引の波長範囲（往復回転角度の範囲）が設定される。つまり、駆動信号Ｄａ、Ｄｂの振幅の調整により設定される。具体例としては、例えば、測定波長範囲をＣバンド（１．５３０〜１．５６５μｍ）とした場合、基準波長設定範囲を上述の２つ基準光の波長λ1＝１．５２８μｍ、λ2＝１．５７０μｍを含む約１．５２〜１．５８μｍとし、ＭＥＭＳスキャナ６０の掃引の波長範囲は、その基準波長設定範囲に対して十分に広い約１．４５〜１．６５μｍに設定される。
【００２２】
Ａ／Ｄ変換器６は、駆動信号Ｄａ、Ｄｂのいずれか一方をトリガ信号Ｔｒとして受け、このトリガ信号Ｔｒを起点にして、周波数確度の高い内部クロック（例えば１０ＭＨｚ）によって受光素子２からの電気信号を順次ディジタル値に変換する。メモリ７は、制御部（図示しない）からの指示に基づいて、Ａ／Ｄ変換器６から順次出力されるディジタル値の内から少なくとも上述の基準波長設定範囲に含まれるディジタル値を順次所定のアドレスに記憶する。すなわち、環境条件等の変化によってＭＥＭＳスキャナ６０の掃引の波長範囲が変動した場合でも、基準波長設定範囲に含まれるディジタル値は必ずメモリ７に記憶されるようにする。なお、上記では、メモリ７への記憶を制御部からの指示で行うようにしたが、トリガ信号Ｔｒの位相が上記基準波長設定範囲との関係において適切であれば、Ａ／Ｄ変換器６から出力されるディジタル値をそのまま記憶するようにしてもよい。
【００２３】
処理手段８は、メモリ７に記憶されている所定のアドレスに対するディジタル値（以下適宜データという）の関係と２つの基準光の既知波長とに基づいて、被測定光のスペクトラムの波長校正を行うもので、基準光アドレス検出手段８ａ、基準光アドレス差算出手段８ｂ及びアドレス−波長変換手段８ｃによって構成されている。
【００２４】
すなわち、基準光アドレス検出手段８ａは、第１の読出信号Ｍ1によってメモリ７の所定のアドレスに記憶されているデータを読み出して、第１の基準光及び第２の基準光がそれぞれ記憶されている第１及び第２のアドレスを検出する。具体例としては、少なくとも基準波長設定範囲（上述の１．５２〜１．５８μｍ）に含まれるデータが所定のアドレス０〜５０００に記憶されている場合、アドレス０から順次データを読み出して、アドレス１１５で第１の基準光（上述のλ1＝１．５２８μｍ）の光強度のピーク値を、またアドレス４１１５で第２の基準光（上述のλ2＝１．５７０μｍ）のピーク値を検出したとすると、アドレス１１５（第１のアドレス）は波長１．５２８μｍに対応し、アドレス４１１５（第２のアドレス）は波長１．５７０μｍに対応するものとする。なお、２つの基準光のピーク値が検出されるべき第１及び第２のアドレスのそれぞれの許容アドレス範囲は、環境条件等の変化も考慮して予め把握されている。
【００２５】
基準光アドレス差算出手段８ｂは、基準光アドレス検出手段８ａが検出した第１のアドレスと第２のアドレスとのアドレス差を算出する。すなわち、アドレス差をΔＡＤ、波長λ1に対応するアドレスをＡＤ（λ1）、波長λ2に対応するアドレスをＡＤ（λ2）とすると、ΔＡＤ＝ＡＤ（λ2）−ＡＤ（λ1）を演算する。上述の例の場合には、ΔＡＤ＝４１１５−１１５＝４０００となる。
【００２６】
アドレス−波長変換手段８ｃは、第２の読出信号Ｍ2によってメモリ７の所定のアドレスに記憶されているデータのうちから、少なくとも上述の測定波長範囲（上述の１．５３０〜１．５６５μｍ）に含まれるデータを読み出すとともに、その読み出したアドレスを、上述の第１及び第２のアドレスＡＤ（λ1）、ＡＤ（λ2）のいずれか一方のアドレス、上述のアドレス差ΔＡＤ及び２つの基準光のそれぞれの波長λ1、λ2を一般式λ＝Ａ0＋Ａ1・ｘで表される一次関数に当てはめて、波長に変換する。すなわち、第２の読出信号Ｍ2が読み出したアドレスをＡＤ（ｘ）、このＡＤ（ｘ）に対応する波長をλ（ｘ）として、下記の式を演算する。
λ（ｘ）＝λ1＋〔ＡＤ（ｘ）−ＡＤ（λ1）〕×〔（λ2−λ1）／ΔＡＤ〕
また、上述の具体例の数値を用いて表すと下記の式になる。
λ（ｘ）μｍ＝１．５２８＋〔ＡＤ（ｘ）−１１５〕×（０．０４２／４０００）
そして、アドレス−波長変換手段８ｃは、メモリ７から読み出した被測定光のスペクトラム（上述の測定波長範囲のデータ）のアドレス対データの関係を、上記の一次関数により波長対データの関係に変換して、図示しない表示手段に出力する。
【００２７】
本発明のＭＥＭＳ光スペクトラムアナライザは、上記のような方法で被測定光の波長校正を行うようにしたので、ＭＥＭＳスキャナ６０の往復回転角度の正弦波状に変化する波形の位相変化によって、図３（ａ）の一点鎖線に示すように、掃引時間に対する波長が全体に図中の横方向にシフト（掃引時間ｔ1、ｔ2における波長λ1、λ2がそれぞれ−Δλ変化）して、あるいは上記波形の振幅変化によって、図３（ｂ）の一点鎖線に示すように、掃引時間に対する波長が全体に図中の縦方向に変化（掃引時間ｔ1における波長λ1が−Δλ変化し、掃引時間ｔ2における波長λ2が＋Δλ変化）して、メモリ７の所定のアドレスに記憶される被測定光のスペクトラムの波長、すなわち所定のアドレスに対応する波長の関係が変化（掃引時間ｔ1に対応するアドレスＡＤ1及び掃引時間ｔ2に対応するアドレスＡＤ2にそれぞれ記憶される波長がΔλ変化）したとしても、波長測定精度を２つの基準光の波長確度と同等にすることができる。
【００２８】
なお、上記のアドレス−波長変換では、一般式λ＝Ａ0＋Ａ1・ｘで表される一次関数の定数Ａ0、Ａ1を導いて変換するようにしたが、ＭＥＭＳスキャナ６０の往復回転角度のほぼ正弦波的な変化により近似させるために、一般式λ＝Ａ0＋Ａ1・ｘ＋Ａ2・ｘ2＋・・・で表される多次関数の定数Ａ0、Ａ1、Ａ2・・・を導いて変換するようにしてもよい。また、上記では、測定中でも被測定光に影響を及ぼすことなく常時波長校正ができるように、２つの基準光のそれぞれの波長λ1、λ2がスペクトラムの測定波長範囲に入らない構成であったが、これに限定されるわけではなく、波長λ1、λ2がスペクトラムの測定波長範囲に入る構成であってもよい。その場合には、測定時と波長校正時を手動あるいは自動で切り換えて、波長校正時には２つの基準光が回折格子１に入射されないようにすればよい。また、上記では、波長基準光源３、４にＤＦＢレーザを用いる場合を示したが、例えば広帯域光源の出力光からアセチレンガス等によって特定波長の光のみを吸収させた光（ディップ光）を発生させるものであってもよい。
【００２９】
次に、ＭＥＭＳスキャナ６０を構成する反射体３５及び反射体駆動手段５０について詳述する。反射体３５は、図４に示すように、横長矩形で互いに平行に配置された一対の固定基板３６、３７と、この一対の固定基板３６、３７の長辺側縁部の中央からこの固定基板３６、３７と直交する方向に所定幅、所定長さで延設され、その長さ方向に沿って捩じれ変形可能な一対の軸部３８、３９と、横長矩形で一方の長辺側縁部の中央部で軸部３８の先端に連結され、他方の長辺側縁部の中央部で軸部３９の先端に連結された反射板４０とを有している。この反射板４０は、捩じれ変形可能な軸部３８、３９に中心部が支持されているので、この軸部３８、３９を結ぶ線を中心軸として固定基板３６、３７に対して回転することができる。また、軸部３８、３９と反射板４０とからなる部分の固有振動数ｆ0は、反射板４０自体の形状や質量及び軸部３８、３９のバネ定数によって決まる。
【００３０】
また、反射板４０の一面側には、光を反射するための反射面４１が形成されている。この反射面４１は、反射板４０自体を鏡面仕上げして形成したり、反射率の高い膜（図示しない）を蒸着あるいは接着して形成したりしたものであってもよい。なお、この反射体３５は、薄い半導体基板からエッチング処理等により一体的に切り出されたもので、金属膜の蒸着加工により高導電性を有している。
【００３１】
支持基板４５は絶縁性を有する材料からなり、その一面側の上部と下部には、前方へ突出する支持台４５ａ、４５ｂが形成されており、反射体３５の固定基板３６、３７は、この上下の支持台４５ａ、４５ｂに接した状態で固定されている。また、支持基板４５の一面側中央部の両端には、反射体３５の反射板４０の両端にそれぞれ対向する電極板４６、４７がパターン形成されている。この電極板４６、４７は、後述する駆動信号発生器５５とともに反射体駆動手段５０（図１参照）を構成するものであり、反射板４０の両端部に静電力を交互にかつ周期的に印加して、反射板４０を、軸部３８、３９を結ぶ線を中心に往復回転運動させる。なお、反射板４０の回転軸は回折格子１の回折溝と平行となるように設定されている。このように構成された反射体３５は、回折格子１からの回折光Ｇ1を反射板４０の反射面４１で受けて、その反射光Ｒを回折格子１へ入射させて、再度回折させる。
【００３２】
一方、反射体駆動手段５０（図１参照）の一部を構成する駆動信号発生器５５は、例えば図５（ａ）、（ｂ）に示すように、反射体３５の電位を基準として電極板４６、４７に対して、固有振動数ｆ0に対応した周波数（あるいは固有振動数ｆ0の近傍の振動数に対応した周波数）を有し、位相が１８０°ずれた駆動信号Ｄａ、Ｄｂを印加して、電極板４６と反射板４０の一端側との間及び電極板４７と反射板４０の他端側との間に、交互にかつ周期的に静電力(引力）を与え、反射板４０を固有振動数ｆ0あるいはその近傍の振動数で所定角度範囲を往復回転させる。また、この駆動信号発生器５５は、２つの駆動信号Ｄａ、Ｄｂのいずれか一方を受光素子２からの電気信号をＡ／Ｄ変換するためのトリガ信号ＴｒとしてＡ／Ｄ変換器６（図１参照）に出力する。なお、図５では、２つの駆動信号Ｄａ、Ｄｂがデューティ比５０％の矩形波の場合を示しているが、両信号のデューティ比は５０％以下であってもよく、また、波形も矩形波に限らず、正弦波、三角波等であってもよい。
【００３３】
このような反射体３５及び反射体駆動手段５０によって構成されたＭＥＭＳスキャナ６０では、反射体３５を、一対の固定基板３６、３７と、その縁部から所定幅で所定長さ延設され、その長さ方向に沿って捩じれ変形可能な軸部３８、３９と、軸部３８、３９の先端に自身の縁部で連結され、軸部３８、３９に対して対称な形状に形成され、一面側に反射面４１が形成された反射板４０とによって構成するとともに、反射体３５の軸部３８、３９と反射板４０とからなる部分の固有振動数ｆ0に対応した周波数の駆動信号によって反射板４０に力を与えて、反射板４０を固有振動数ｆ0又はその近傍の振動数で往復回転させている。
【００３４】
このため、僅かな電気エネルギーで反射板４０を高速に往復回転させることができ、しかも、その回転中心が反射板４０の内部（この場合、中央部）にあるので、反射板４０の反射面４１への入射光の反射角の変化量を大きくすることができる。なお、軸部３８、３９のバネ定数は、軸部３８、３９の長さ、幅、厚み、材質によって決まり、このバネ定数と、反射板４０の形状、厚み、材質等で固有振動数ｆ0が決定され、これらのパラメータを選ぶことにより、固有振動数ｆ0を数１００Ｈｚ〜数１０ｋＨｚの範囲内で設定することができる。
【００３５】
したがって、本発明のＭＥＭＳ光スペクトラムアナライザは、上記のような反射体３５及び反射体駆動手段５０を用いてＭＥＭＳスキャナ６０を構成するようにしたので、掃引速度の高速化（最大数１０ｋＨｚ）、測定波長範囲の広帯域化ができる。
【００３６】
なお、上述の図４の説明では、反射体３５を導電性の高い材料で構成していたが、反射体３５を導電性の低い材料で構成する場合には、反射板４０の反射面４１と反対面の両側（全面でもよい）に電極板４６、４７と対向する電極板をそれぞれ設け、更に固定基板３６、３７の背面側にも電極板を設け、それらの電極板の間をパターン等によって接続する。そして、支持基板４５の支持台４５ａ、４５ｂの表面に、固定基板３６、３７の背面側の電極板と接触する電極板をパターン形成して、その少なくとも一方を基準電位ラインとして上述した駆動信号発生器５５に接続すればよい。
【００３７】
また、固定基板３６、３７の一端側同士の間あるいは両端の間を連結して、固定基板をコの字枠あるいは矩形枠状に形成してもよい。また、反射板４０の形状も任意であり、上述の横長矩形の他に、円形、楕円形、長円形、菱形、正方形、多角形等であってもよい。また、高速往復回転時の空気抵抗を減らすために、反射板４０の内側に大きな穴あるいは多数の小さな穴を設けてもよい。
【００３８】
また、上述の図４の説明では、反射体３５の反射板４０の両端にそれぞれ対向する２つの電極板４６、４７を設けていたが、一方側の電極板（例えば電極板４６）だけによって静電力を印加してもよい。また、駆動方式についても、上述の静電力の他に、電磁力によって反射板４０を往復回転させてもよい。この場合、例えば、上述の電極板４６、４７の代わりにコイルを用い、反射板４０の両端部に磁性体あるいはコイルを設け、コイル間あるいはコイルと磁性体との間に発生する磁界による吸引力及び反発力によって、反射板４０を往復回転させる。
【００３９】
また、上述の静電力や電磁力を反射板４０に直接与える方法の他に、超音波振動子等によって上述の固有振動数ｆ0又はその近傍の振動を反射体３５全体に加えて、その振動を反射板４０に伝達させて往復回転させることも可能である。この場合、振動子を支持基板４５の背面側や支持台４５ａ、４５ｂの部分に設けることで、その振動を反射板４０に効率的に伝達することができる。
【図面の簡単な説明】
【００４０】
【図１】本発明の実施形態の構成を示す図
【図２】ＭＥＭＳスキャナによる波長掃引について説明するための図
【図３】波長校正を説明するための図
【図４】ＭＥＭＳスキャナを説明するための分解斜視図
【図５】駆動信号を説明するための図
【図６】従来例の概略構成を示す図
【符号の説明】
【００４１】
１・・・回折格子、２・・・受光素子（ＰＤ）、３，４・・・波長基準光源、５・・・光合波手段、５ａ，５ｂ・・・光カプラ、６・・・Ａ／Ｄ変換器、７・・・メモリ、８・・・処理手段、８ａ・・・基準光アドレス検出手段、８ｂ・・・基準光アドレス差算出手段、８ｃ・・・アドレス−波長変換手段、３５・・・反射体、３６，３７・・・固定基板、３８，３９・・・軸部、４０・・・反射板、４１・・・反射面、４５・・・支持基板、４５ａ，４５ｂ・・・支持台、４６，４７・・・電極板、５０・・・反射体駆動手段、５５・・・駆動信号発生器、６０・・・ＭＥＭＳスキャナ。
【図１】
2006145270.tif 000003
【図２】
2006145270.tif 000004
【図３】
2006145270.tif 000005
【図４】
2006145270.tif 000006
【図５】
2006145270.tif 000007
【図６】
2006145270.tif 000008